(57)【要約】  本開示の一態様に係るユーザ端末は、複数のＲＡＴ（Radio  Access  Technology）を用いて送信を行う送信部と、各ＲＡＴへの最大送信電力の配分に関する情報を複数含む配分設定情報を受信する受信部と、前記配分設定情報に基づいて、各ＲＡＴの最大送信電力の配分を複数の配分から決定する制御部と、を有することを特徴とする。本開示の一態様によれば、複数のＲＡＴを用いる場合であっても、スループットの低下などを抑制できる。
2019092835.tif 000002
【特許請求の範囲】
【請求項１】
複数のＲＡＴ（Radio  Access  Technology）を用いて送信を行う送信部と、
各ＲＡＴへの最大送信電力の配分に関する情報を複数含む配分設定情報を受信する受信部と、
前記配分設定情報に基づいて、各ＲＡＴの最大送信電力の配分を複数の配分から決定する制御部と、を有することを特徴とするユーザ端末。
【請求項２】
前記制御部は、送信を実施するスロットが特定のスロットか否かに基づいて、前記最大送信電力の配分を決定することを特徴とする請求項１に記載のユーザ端末。
【請求項３】
前記制御部は、複数の配分のいずれかに対応するインデックスに基づいて、前記最大送信電力の配分を決定することを特徴とする請求項１又は請求項２に記載のユーザ端末。
【請求項４】
前記制御部は、前記最大送信電力の配分を、各ＲＡＴにおけるアクティブなキャリアの数に基づいて調整することを特徴とする請求項１から請求項３のいずれかに記載のユーザ端末。
【請求項５】
複数のＲＡＴ（Radio  Access  Technology）を用いて送信を行うステップと、
各ＲＡＴへの最大送信電力の配分に関する情報を複数含む配分設定情報を受信するステップと、
前記配分設定情報に基づいて、各ＲＡＴの最大送信電力の配分を複数の配分から決定するステップと、を有することを特徴とする無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。
【先行技術文献】
【非特許文献】
【０００４】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００５】
将来の無線通信システム（例えば、ＮＲ）においては、ユーザ端末（ＵＥ：User  Equipment）が、複数のＲＡＴ（Radio  Access  Technology）の通信を用いる運用が検討されている。【０００６】
しかしながら、ＲＡＴごとの最大送信電力を準静的に設定する既存の電力制御方法を用いる場合には、例えばＵＥがセル端で送信電力不足に陥ってしまい、カバレッジが縮小し、システムスループットが低下するおそれがある。【０００７】
そこで、本開示は、複数のＲＡＴを用いる場合であっても、スループットの低下などを抑制できるユーザ端末及び無線通信方法を提供することを目的の１つとする。
【課題を解決するための手段】
【０００８】
本開示の一態様に係るユーザ端末は、複数のＲＡＴ（Radio  Access  Technology）を用いて送信を行う送信部と、各ＲＡＴへの最大送信電力の配分に関する情報を複数含む配分設定情報を受信する受信部と、前記配分設定情報に基づいて、各ＲＡＴの最大送信電力の配分を複数の配分から決定する制御部と、を有することを特徴とする。
【発明の効果】
【０００９】
本開示によれば、複数のＲＡＴを用いる場合であっても、スループットの低下などを抑制できる。
【図面の簡単な説明】
【００１０】
【図１】図１Ａ及び１Ｂは、ＬＴＥ及びＮＲの同時送信時の電力制御の一例を示す図である。
【図２】図２は、一実施形態に係る最大送信電力の配分の制御の一例を示す図である。
【図３】図３は、一実施形態に係る無線通信システムの概略構成の一例を示す図である。
【図４】図４は、一実施形態に係る無線基地局の全体構成の一例を示す図である。
【図５】図５は、一実施形態に係る無線基地局の機能構成の一例を示す図である。
【図６】図６は、一実施形態に係るユーザ端末の全体構成の一例を示す図である。
【図７】図７は、一実施形態に係るユーザ端末の機能構成の一例を示す図である。
【図８】図８は、一実施形態に係る無線基地局及びユーザ端末のハードウェア構成の一例を示す図である。
【発明を実施するための形態】
【００１１】
ＵＥが、複数のＲＡＴ（Radio  Access  Technology）の通信を用いる運用が検討されている。例えば、ＵＥが、既存のＬＴＥ（又は既存のＬＴＥの拡張方式）に従う通信及びＮＲに従う通信を両方実施する運用が検討されている。当該運用は、ＬＴＥ−ＮＲノンスタンドアローン（ＮＳＡ：Non  Stand-Alone）運用とも呼ばれる。
【００１２】
このＮＳＡ運用において、ＵＥは、ＬＴＥ用のセルのみを含むセルグループ（ＣＧ：Cell  Group）及びＮＲ用のセルのみを含むＣＧを設定されてもよい。ＵＥは、ＬＴＥ用のセル及びＮＲ用のセルを含むＣＧを１つ又は複数設定されてもよい。なお、セルグループは、少なくとも１つのセル（コンポーネントキャリア（ＣＣ：Component  Carrier））から構成されてもよい。
【００１３】
このＮＳＡ運用において、ＵＥの最大送信電力に相当するＰＣＭＡＸをどのように分配（又は共有）するかが検討されている。ここで、ＰＣＭＡＸは設定された最大ＵＥ出力電力（ＬＴＥの規定と同様）であってもよいし、ＬＴＥの規定とは異なって決定される電力パラメータであってもよい。
【００１４】
ＵＥは、ＲＡＴごとの最大送信電力を設定されてもよい。例えば、ＵＥは、ＬＴＥ用の最大許容電力（Maximum  allowed  power）値であるＰＬＴＥと、ＮＲ用の最大許容電力値であるＰＮＲと、を別々に（独立して）設定されてもよい。
【００１５】
例えば、ＵＥがＮＲを設定される場合に、ＰＬＴＥがＰＣＭＡＸ以下の値に設定されてもよいし、ＰＮＲがＰＣＭＡＸ以下の値に設定されてもよい。また、ＰＬＴＥ＋ＰＮＲ＞ＰＣＭＡＸを満たすように設定されてもよいし、ＰＬＴＥ＋ＰＮＲ≦ＰＣＭＡＸを満たすように設定されてもよい。
【００１６】
ＮＲが設定されるＵＥは、所定のＰＬＴＥ及びＰＮＲの組み合わせに確実に取り扱いできると想定してもよい（対応が義務付けられてもよい）し、一定の組み合わせの取り扱いについてはＵＥ能力（UE  capability）に依存してもよい。例えば、ＵＥは、ＰＬＴＥ＋ＰＮＲ≦ＰＣＭＡＸに確実に対応できると想定してもよいし、ＰＬＴＥ＋ＰＮＲ＞ＰＣＭＡＸに対応できるか否かは当該ＵＥの能力に依ると想定してもよい。
【００１７】
また、ＬＴＥ及びＮＲの同時送信によってＵＥの総送信電力（瞬時最大送信電力などと呼ばれてもよい）がＰＣＭＡＸを超える（パワーリミテッドとなる）場合、当該ＵＥは、１つ又は複数のキャリアにおけるＮＲの送信電力を低減（スケーリング）してもよいし、１つ又は複数のキャリアにおけるＮＲの送信をドロップ（停止）してもよい。この場合、ＬＴＥの送信電力は維持されてもよい（変更がなくてもよい）。
【００１８】
なお、当該パワーリミテッドの場合であって、ＮＲの送信が複数のＣＣ又は複数のＣＧにおいて生じる場合には、ＵＥは、これらの複数のＣＣ又は複数のＣＧに対して、一律に（例えば、同じ絶対値で、ＰＣＭＡＸに対して同じ割合で、など）スケーリングを適用してもよいし、重み付けしてスケーリングを適用してもよい。
【００１９】
複数のチップを用いてＬＴＥ及びＮＲ両方の通信を行う場合に、上記パワーリミテッド時のＮＲのスケーリング／ドロップは実施されないと想定されてもよい。１チップを用いてＬＴＥ及びＮＲ両方の通信を行う場合には、上記パワーリミテッド時のＮＲのスケーリング／ドロップは実施されると想定されてもよい。単一チップであればＲＡＴ間の連携した制御が好適に実施できるためである。
【００２０】
なお、この制御は特定の条件を満たす場合に実施されてもよい。例えば、特定の条件は、ＤＬ及び／又はＵＬにおける短縮ＴＴＩ（ｓＴＴＩ：short  TTI）又は低減されたＵＥ処理時間（reduced  UE  processing  time）ベースの動作が当該ＵＥに対して設定されていないことであってもよい。
【００２１】
ＵＥは、基地局に対して、例えば上位レイヤシグナリングを用いて上述のＵＥ能力情報、ＬＴＥ及び／又はＮＲ通信を行うための実装の構成に関する情報（例えば、ＬＴＥ通信及びＮＲ通信が同じチップを用いて行われるか否かに関する情報）などを通知してもよい。
【００２２】
上位レイヤシグナリングは、例えば、ＲＲＣ（Radio  Resource  Control）シグナリング、ＭＡＣ（Medium  Access  Control）シグナリング（例えば、ＭＡＣ制御要素（ＭＡＣ  ＣＥ（Control  Element））、ＭＡＣ  ＰＤＵ（Protocol  Data  Unit））などのいずれか、又はこれらの組み合わせであってもよい。
【００２３】
図１Ａ及び１Ｂは、ＬＴＥ及びＮＲの同時送信時の電力制御の一例を示す図である。図１Ａは、ＵＥがＰＬＴＥ＋ＰＮＲ≦ＰＣＭＡＸを満たすＰＬＴＥ及びＰＮＲを設定される例を示す。この場合、ＬＴＥ及びＮＲの同時送信時であっても、一方の送信電力が他方の送信電力によって制限を受けることがない。
【００２４】
図１Ｂは、ＵＥがＰＬＴＥ＋ＰＮＲ＞ＰＣＭＡＸを満たすＰＬＴＥ及びＰＮＲを設定される例を示す。この場合、ＰＬＴＥ＞ＰＣＭＡＸでない限りは、ＵＥはＬＴＥの送信電力を維持し、ＮＲの送信電力をスケーリング又はドロッピングして、総送信電力をＰＣＭＡＸ以下に調整してもよい。
【００２５】
ＲＡＴごとの最大送信電力（ＰＬＴＥ、ＰＮＲなど）が準静的（semi-static）にＵＥに対して設定される場合、所定のＲＡＴにおいて送信を行っていない場合においても、当該ＵＥは他のＲＡＴ用の送信電力として当該所定のＲＡＴ用の未使用電力を活用することができない。
【００２６】
また、所定のＲＡＴにおける送信のドロッピングがサポートされない場合には、ＵＥは、当該所定のＲＡＴに割り当てる最大送信電力を０にしない限り、他のＲＡＴ用の送信電力をＰＣＭＡＸまで上げることができない。
【００２７】
このような事態を考慮すると、ＲＡＴごとの最大送信電力を準静的に設定する既存の電力制御方法を用いる場合には、ＵＥがセル端で送信電力不足に陥ってしまい、カバレッジが縮小し、システムスループットが低下するおそれがある。
【００２８】
そこで、本発明者は、最大送信電力を柔軟に制御する方法を着想した。例えば、本発明の一態様においては、ＵＥは、各ＲＡＴへの最大送信電力の配分を複数設定され、これら複数の配分を切り替えて用いる。このような構成によれば、柔軟な制御を実現できる。
【００２９】
以下、本開示に係る実施形態について、図面を参照して詳細に説明する。各実施形態に係る無線通信方法は、それぞれ単独で適用されてもよいし、組み合わせて適用されてもよい。
【００３０】
なお、本明細書の説明における「ＲＡＴ／ＣＧ」は、「ＲＡＴ及び／又はＣＧ」で読み替えられてもよく、ＲＡＴはＣＧと互換的に利用されてもよい。
【００３１】
（無線通信方法）
本開示の一実施形態においては、ＵＥは、各ＲＡＴ／ＣＧの最大送信電力の配分を複数パターン設定される。ＵＥは、特定の条件に基づいて、利用する最大送信電力の配分を決定する。
【００３２】
ＵＥは、送信を実施するスロットが特定のスロットか否かに基づいて、最大送信電力の配分を決定してもよい。例えば、ＵＥは、特定のスロットでは第１の配分を用い、それ以外のスロットでは第２の配分を用いる制御を行ってもよい。例えば、第１の配分は、１つのＲＡＴ／ＣＧに偏った配分（例えば、（ＰＬＴＥ、ＰＮＲ）＝（２３ｄＢｍ、０ｄＢｍ））であってもよいし、第２の配分は、複数ＲＡＴ／ＣＧへの等分配（例えば、（ＰＬＴＥ、ＰＮＲ）＝（２０ｄＢｍ、２０ｄＢｍ））であってもよい。
【００３３】
各ＲＡＴ／ＣＧへのＵＥの最大送信電力の配分に関する情報（例えば、ＰＬＴＥ及び／又はＰＮＲ）は、上位レイヤシグナリングによってＵＥに通知（設定）されてもよい。例えば、所定の配分に対応するＰＬＴＥ及びＰＮＲは、同時にＵＥに通知されてもよいし、別々に通知されてもよい。また、ＰＬＴＥ及びＰＮＲの一方が通知される場合、ＵＥは通知された値に基づいて他方の値を導出してもよい。
【００３４】
なお、ＰＬＴＥ及び／又はＰＮＲは２０ｄＢｍのように絶対値を用いて指定されてもよいし、ＰＣＭＡＸに対する割合（ｘ％など）を用いて指定されてもよい。上記配分に関する情報は、配分を設定するための情報（配分設定情報）と呼ばれてもよい。
【００３５】
いずれかのＲＡＴ／ＣＧのキャリアにおいて複数のＲＡＴ／ＣＧの配分設定情報がまとめてＵＥに通知されてもよいし、ＲＡＴ／ＣＧごとに対応する配分設定情報が通知されてもよい。例えば、ＰＬＴＥ及びＰＮＲが別々に通知される場合、ＵＥはＬＴＥキャリアにおいてＰＬＴＥの情報を受信し、ＮＲキャリアにおいてＰＮＲの情報を受信してもよい。
【００３６】
ＰＬＴＥ及びＰＮＲが別々に通知される場合、ＵＥはいずれかのキャリアにおいてＰＬＴＥ及びＰＮＲ両方の情報を受信してもよく、これらは別々のシグナリング（又はパラメータ）によって通知されてもよい。
【００３７】
なお、ＵＥは、ＰＬＴＥ又はＰＮＲのいずれか一方がＰＣＭＡＸであると想定してもよい。例えば、ＵＥは、ＰＬＴＥ（又はＰＮＲ）の情報が通知されない場合、ＰＬＴＥ（又はＰＮＲ）＝ＰＣＭＡＸであると想定してもよい。
【００３８】
配分設定情報は、各ＲＡＴ／ＣＧへのＵＥの最大送信電力の配分に関する情報を複数含んでもよい。例えば、配分設定情報は、上述の第１の配分及び第２の配分の情報を含んでもよい。配分設定情報によって設定された複数の配分は、それぞれ別々のインデックスに対応付けられてもよい。
【００３９】
図２は、一実施形態に係る最大送信電力の配分の制御の一例を示す図である。本例においては、特定のスロットはスロット＃１である。ＵＥは、特定のスロットにおいて（ＰＬＴＥ、ＰＮＲ）＝（２３ｄＢｍ、０ｄＢｍ）を用いて電力制御を行い、それ以外のスロットにおいて（ＰＬＴＥ、ＰＮＲ）＝（２０ｄＢｍ、２０ｄＢｍ）を用いて電力制御を行うように設定されている。なお、ＰＣＭＡＸ＝２３ｄＢｍと想定している。
【００４０】
本例の場合、ＵＥは、スロット＃１においてＬＴＥの送信電力をＰＣＭＡＸまで用いることができ、このスロットにおけるＬＴＥのカバレッジを広くすることができる。また、スロット＃１以外においてはＬＴＥ及びＮＲに最大送信電力を等分配できるため、両方式のカバレッジを確保することができる。
【００４１】
なお、上述の「特定のスロット」は、ＲＡＴ／ＣＧごとに異なるスロットであってもよい。例えば、ＬＴＥキャリアの「特定のスロット」は、ＮＲキャリアの「特定のスロット」とスロット番号が異なってもよい。図２に示したように、ＲＡＴ間が同期する場合には特定スロットが同じ送信タイミングを示すと考えられるが、ＲＡＴ間でスロット長が異なったり、ＲＡＴ間が非同期であったりする場合には、「特定のスロット」が異なることが想定される。
【００４２】
ＵＥは、各ＲＡＴ／ＣＧへのＵＥの最大送信電力の配分を特定するための情報（配分特定情報と呼ばれてもよい）に基づいて、配分設定情報によって設定された複数の配分のうち、所定の期間（例えば、スロット）において利用する最大送信電力の配分を決定（特定）してもよい。
【００４３】
配分特定情報は、上位レイヤシグナリング、物理レイヤシグナリング（例えば、下り制御情報（ＤＣＩ：Downlink  Control  Information））又はこれらの組み合わせを用いて、基地局からＵＥに通知されてもよいし、仕様によって予め規定されてもよい。なお、配分特定情報は、配分設定情報と同時にＵＥに通知されてもよいし、別々に通知されてもよい。
【００４４】
いずれかのＲＡＴ／ＣＧのキャリアにおいて複数のＲＡＴ／ＣＧの配分特定情報がまとめてＵＥに通知されてもよいし、ＲＡＴ／ＣＧごとに対応する配分特定情報が通知されてもよい。
【００４５】
ここで、上位レイヤシグナリングは、例えば、ＲＲＣシグナリング、ＭＡＣシグナリング、ブロードキャスト情報（マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information））などのいずれか、又はこれらの組み合わせであってもよい。なお、本明細書における上位レイヤシグナリング、物理レイヤシグナリングなどは、各ＲＡＴ用に規定されるシグナリングを含んでもよく（意味してもよく）、例えば、ＬＴＥのシグナリング及びＮＲのシグナリングのいずれか又は両方を含んでもよい。
【００４６】
配分特定情報は、特定のスロットに関する情報（例えば、どのスロットにどの配分を適用するかの情報）を含んでもよい。特定のスロットに関する情報は、例えば特定のスロットの特徴（及び／又はパターン）を示す情報であってもよい。
【００４７】
例えば、当該情報は、所定のＲＡＴ／ＣＧにおける特定のスロットに対応するスロット番号（スロットインデックス）、周期、オフセットの情報などを含んでもよい。スロット番号を表す情報は、スロット番号が奇数、偶数、所定の数の倍数などであることを示す情報であってもよい。
【００４８】
ＵＥは、特定のスロットにおける最大送信電力の配分の制御を行うことをトリガするトリガ情報を受信してもよい。例えば、ＵＥは、当該トリガをオンする情報を受信した場合、事前に設定された特定のスロットに該当するスロットにおいて他のスロットと異なる最大送信電力の配分を適用してもよい。ＵＥは、当該トリガをオフする情報を受信した場合、特定のスロットに該当するスロットでも他のスロットと同じ最大送信電力の配分を適用してもよい。トリガ情報は、アクティベーション／ディアクティベーション情報と呼ばれてもよい。
【００４９】
また、特定のスロットは、所定のＲＡＴ／ＣＧにおける特定のＵＬ送信を行うスロットであってもよい。例えば、特定のスロットは、ＵＬグラントベースの送信を行うスロット、ＵＬグラントフリーの送信を行うスロット、所定のチャネルを送信するスロット、所定の上り制御情報（ＵＣＩ：Uplink  Control  Information）を送信するスロット、測定用参照信号（ＳＲＳ：Sounding  Reference  Signal）を送信するスロットなどのうち少なくとも１つであってもよい。特定のスロットに関する情報は、これらのスロットの少なくとも１つを示す情報であってもよい。
【００５０】
なお、上記所定のチャネルは、例えば、ランダムアクセスチャネル（ＰＲＡＣＨ：Physical  Random  Access  Channel）、上り制御チャネル（ＰＵＣＣＨ：Physical  Uplink  Control  Channel）、上り共有チャネル（ＰＵＳＣＨ：Physical  Uplink  Shared  Channel）などの少なくとも１つであってもよいが、これらに限られない。なお、本明細書におけるチャネル／信号などは、各ＲＡＴ用に規定されるチャネル／信号などを含んでもよく（意味してもよく）、例えば、ＬＴＥのチャネル／信号及びＮＲのチャネル／信号のいずれか又は両方を含んでもよい。
【００５１】
また、上記所定のＵＣＩは、例えば、送達確認情報（ＨＡＲＱ−ＡＣＫ）、スケジューリングリクエスト（ＳＲ：Scheduling  Request）、チャネル状態情報（ＣＳＩ：Channel  State  Information）などの少なくとも１つであってもよいが、これらに限られない。
【００５２】
配分特定情報は、明示的又は暗示的に最大送信電力の配分を指定する情報（配分指定情報と呼ばれてもよい）を含んでもよい。配分指定情報は、ＭＡＣシグナリング（例えば、ＭＡＣ  ＣＥ）及び／又は物理レイヤシグナリング（例えば、ＤＣＩ）を用いて通知されることが好ましい。
【００５３】
ＵＥは、配分指定情報に基づいて、配分設定情報によって設定された複数の配分のうち、いずれかを用いることを決定してもよい。配分指定情報は、設定された配分に対応するインデックスを示してもよいし、別の配分に切り替える（変更する）ことを指示する情報を示してもよい。
【００５４】
なお、配分特定情報は、特定のスロットに関する情報及び当該特定のスロットにおける配分を指定する配分指定情報の組み合わせを含んでもよい。
【００５５】
配分指定情報は、各ＲＡＴ／ＣＧへのＵＥの最大送信電力の配分に関する情報（例えば、ＰＬＴＥ及び／又はＰＮＲ）を直接指定する情報であってもよい。この場合、配分設定情報の受信の有無に関わらず（配分設定情報によって配分が設定されていなくても）、ＵＥは配分指定情報によって指定された最大送信電力の配分を用いてもよい。
【００５６】
各ＲＡＴ／ＣＧへのＵＥの最大送信電力の配分は、デフォルトの配分（例えば、等分配）が予め仕様によって定められてもよい。ＵＥは、配分設定情報及び配分指定情報を何も受信していない場合であっても、デフォルトの配分に基づいて最大送信電力の配分を判断してもよい。
【００５７】
配分指定情報は、ＵＬグラントに含まれてもよい。この場合、ＵＥは、当該配分指定情報に基づいて判断される最大送信電力の配分を、当該ＵＬグラントによって指示されるＵＬ送信に適用する一方で、その他のＵＬ送信には適用しない（例えば、その他のＵＬ送信にはデフォルトの配分を用いる）と想定してもよい。
【００５８】
ＵＥは、一定の条件を満たす場合には、デフォルトの配分を用いると想定してもよい。例えば、ＵＥは、いずれかのＲＡＴ／ＣＧにて無線リンク障害（ＲＬＦ：Radio  Link  Failure）が検出される場合、共通サーチスペースをモニタする場合などにおいては、所定のＲＡＴ／ＣＧの信号（例えば、ＰＲＡＣＨ）の送信電力をデフォルトの配分に基づいて制御すると想定してもよい。
【００５９】
ＵＥは、所定のＲＡＴ／ＣＧにおいて一定の条件を満たす場合には、当該ＲＡＴ／ＣＧの送信電力はＰＣＭＡＸまで利用可能又は利用してもよい。ＵＥは、この間、他ＲＡＴ／ＣＧの送信を中断、スキップ又はドロップしてもよい。例えば、ＵＥは、所定のＲＡＴ／ＣＧにおいてＰＲＡＣＨの送信を行う場合には、当該ＰＲＡＣＨの送信をＰＣＭＡＸの電力を用いて行ってもよい。
【００６０】
以上説明した実施形態によれば、ＵＥの最大送信電力を有効活用できる。例えばＣＧごとに最大送信電力が準静的に設定される場合であっても、ＵＥが特定のスロットでは最大送信電力の配分を変更して所定のＣＧにおいてＰＣＭＡＸで送信することが可能となり、当該所定のＣＧのカバレッジの縮退を抑制できる。
【００６１】
＜変形例＞
なお、各ＲＡＴ／ＣＧの最大送信電力の配分は、各ＲＡＴ／ＣＧにおけるアクティブなキャリア（ＣＣ）の数に基づいて調整されてもよい。例えば、所定のＲＡＴ／ＣＧ（例えば、ＮＲの通信に用いるセカンダリＣＧ（ＳＣＧ：Secondary  CG））に含まれるＣＣがアクティブ状態からディアクティベートされた場合、当該所定のＲＡＴ／ＣＧに配分される最大送信電力のうち、当該ＣＣ分の電力が他のＲＡＴ／ＣＧ（例えば、マスタＣＧ（ＭＣＧ：Master  CG））において利用可能になったとＵＥは想定してもよい。「電力が利用可能になった」は「電力が譲渡された」と表現されてもよい。
【００６２】
例えば、ＵＥがＬＴＥ用のＣＧ及びＮＲ用のＣＧを設定されている場合を考える。ここで、ＮＲ用のＣＧが２ＣＣを含み、そのうちの１ＣＣがディアクティベートされた場合、ＵＥはＰＮＲの一部（例えば、５０％）がＬＴＥに譲渡されたと想定してもよい。また、ＮＲ用のＣＧに含まれる２ＣＣともにディアクティベートされた場合、ＵＥはＰＮＲの一部又は全部（１００％）がＬＴＥに譲渡されたと想定してもよい。
【００６３】
所定のＲＡＴ／ＣＧに関する１つのＣＣがディアクティベートされる場合に、他のＲＡＴに譲渡される電力は、当該所定のＲＡＴ／ＣＧの最大送信電力ＰＲＡＴを所定のＲＡＴ／ＣＧに関してＵＥに設定された全ＣＣの数で割った値に基づいて求められてもよいし、ＣＣに依存して重み付けされてもよい。
【００６４】
所定のＲＡＴ／ＣＧに関する１つのＣＣがディアクティベートされる場合に電力を譲渡するか否かに関する情報が、例えば上位レイヤシグナリングなどによってＵＥに通知されてもよい。ＵＥは、当該情報が「否」を示す場合には、当該所定のＲＡＴ／ＣＧに関する１つのＣＣがディアクティベートされる場合であっても、他のＲＡＴ／ＣＧに電力を譲渡できないと想定してもよい。
【００６５】
所定のＲＡＴ／ＣＧのディアクティベートされたＣＣがアクティベートされる場合、譲渡された電力は当該所定のＲＡＴ／ＣＧに返還されてもよい（当該所定のＲＡＴ／ＣＧにおいて利用可能になってもよい）。
【００６６】
なお、上記の説明における「ディアクティベートされた」は、「無線リンク障害（ＲＬＦ：Radio  Link  Failure）が検出された」、「タイミングアドバンスタイマ（timing  advance  timer）が満了した」、「チャネルの品質が閾値未満になった」、「初期アクセスを開始した場合（ビーム回復（Beam  recovery）処理を含んでもよい）の」などで読み替えられてもよい。
【００６７】
上述の実施形態では簡単のためＵＥがＬＴＥ及びＮＲの同時送信を行う例を示したが、これに限られない。３つ以上のＲＡＴ／ＣＧ（例えば、ＬＴＥ、ＮＲ及びその他のＲＡＴ）を用いてＵＥが通信する場合であっても、本開示に示した発明を適用可能である。
【００６８】
また、例えば同じＲＡＴを複数のＣＧにおいて用いてＵＥが通信される場合であっても、本開示に示した発明を適用可能である。例えば、ＵＥがＮＲを用いるＣＧ１及びＮＲを用いるＣＧ２を設定される場合に、それぞれの最大送信電力としてＰＮＲ１及びＰＮＲ２が設定されてもよい。
【００６９】
なお、本明細書の説明におけるＣＧは、１つ以上のＣＣ（セル）、１つ以上の帯域幅部分（ＢＷＰ：Bandwidth  part）などで読み替えられてもよい。ここで、ＢＷＰは、部分周波数帯域、部分帯域などと呼ばれてもよい。ＮＲにおいては、ＣＣごとに１つ又は複数のＢＷＰがＵＥに対して設定され得る。
【００７０】
本明細書の説明におけるＰＣＭＡＸは、他の電力の値（例えば、コンポーネントキャリアの最大許容送信電力ＰＣＭＡＸ、ｃ）で読み替えられてもよい。本明細書の説明におけるスロットは、他の時間単位（例えば、ミニスロット、サブフレーム、フレーム、シンボルなど）で読み替えられてもよい。
【００７１】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【００７２】
図３は、一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【００７３】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００７４】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【００７５】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【００７６】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００７７】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【００７８】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、フィルタリング処理、ウィンドウイング処理などの少なくとも１つを示してもよい。
【００７９】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【００８０】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【００８１】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【００８２】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【００８３】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【００８４】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【００８５】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【００８６】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【００８７】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【００８８】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【００８９】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【００９０】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【００９１】
（無線基地局）
図４は、一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【００９２】
下りリンクによって無線基地局１０からユーザ端末２０に送信されるユーザデータは、上位局装置３０から伝送路インターフェース１０６を介してベースバンド信号処理部１０４に入力される。
【００９３】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【００９４】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【００９５】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【００９６】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【００９７】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【００９８】
送受信部１０３は、複数のＲＡＴ／ＣＧを用いて送信された信号及び／又はチャネルを受信する。また、送受信部１０３は、各ＲＡＴ／ＣＧへのＵＥの最大送信電力の配分に関する情報（配分設定情報）、配分特定情報、配分指定情報、特定のスロットに関する情報（スロット情報）などを、ユーザ端末２０に対して送信してもよい。
【００９９】
図５は、一実施形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【０１００】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１０１】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１０２】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１０３】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。また、制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１０４】
また、制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１０５】
制御部３０１は、ユーザ端末２０に対して各ＲＡＴにおける最大送信電力の配分を制御させるための情報を、送信する制御を行ってもよい。例えば、制御部３０１は、配分設定情報、配分特定情報などを、送信する制御を行ってもよい。
【０１０６】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１０７】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１０８】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１０９】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１１０】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１１１】
測定部３０５は、受信した信号に関する測定を実施する。測定部３０５は、本開示に係る技術分野での共通認識に基づいて説明される測定器、測定回路又は測定装置から構成することができる。
【０１１２】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１１３】
（ユーザ端末）
図６は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１１４】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１１５】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１１６】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１１７】
送受信部２０３は、複数のＲＡＴ／ＣＧを用いて送信を行う。また、送受信部２０３は、各ＲＡＴ／ＣＧへのＵＥの最大送信電力の配分に関する情報（配分設定情報）、配分特定情報、配分指定情報、特定のスロットに関する情報（スロット情報）などを、無線基地局１０から受信してもよい。
【０１１８】
図７は、一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１１９】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１２０】
制御部４０１は、ユーザ端末２０全体の制御を実施する。制御部４０１は、本開示に係る技術分野での共通認識に基づいて説明されるコントローラ、制御回路又は制御装置から構成することができる。
【０１２１】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１２２】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１２３】
制御部４０１は、各ＲＡＴにおける送信電力を制御してもよい。なお、本明細書において「各ＲＡＴ」は、「複数のＲＡＴ」、「複数のＣＧ」などで読み替えられてもよい。制御部４０１は、受信信号処理部４０４から取得した配分設定情報及び／又は配分特定情報に基づいて、各ＲＡＴの最大送信電力の配分を複数の配分のなかから決定（判断）してもよい。例えば、制御部４０１は、配分設定情報に基づく複数の配分から、配分特定情報を用いて各ＲＡＴの最大送信電力の配分を決定してもよい。
【０１２４】
例えば、制御部４０１は、送信を実施するスロットが特定のスロットか否かに基づいて、当該スロットにおける各ＲＡＴの最大送信電力の配分を決定してもよい。制御部４０１は、複数の配分のいずれかに対応する情報（例えばインデックス）に基づいて、各ＲＡＴの最大送信電力の配分を決定してもよい。
【０１２５】
制御部４０１は、各ＲＡＴの最大送信電力の配分を、各ＲＡＴにおけるアクティブなキャリアの数に基づいて調整（例えば、あるＲＡＴの最大送信電力の増加又は減少）してもよい。
【０１２６】
また、制御部４０１は、無線基地局１０から通知された各種情報を受信信号処理部４０４から取得した場合、当該情報に基づいて制御に用いるパラメータを更新してもよい。
【０１２７】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１２８】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１２９】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１３０】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１３１】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１３２】
測定部４０５は、受信した信号に関する測定を実施する。測定部４０５は、本開示に係る技術分野での共通認識に基づいて説明される測定器、測定回路又は測定装置から構成することができる。
【０１３３】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１３４】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１３５】
例えば、本開示の一実施形態における無線基地局、ユーザ端末などは、本開示の無線通信方法の処理を行うコンピュータとして機能してもよい。図８は、一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１３６】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１３７】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１３８】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１３９】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１４０】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１４１】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、一実施形態に係る無線通信方法を実施するために実行可能なプログラム（プログラムコード）、ソフトウェアモジュールなどを保存することができる。
【０１４２】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１４３】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１４４】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１４５】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１４６】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１４７】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１４８】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０１４９】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０１５０】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１５１】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１５２】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１５３】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１５４】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１５５】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１５６】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１５７】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１５８】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１５９】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１６０】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１６１】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１６２】
また、情報、信号などは、上位レイヤから下位レイヤ、及び／又は下位レイヤから上位レイヤへ出力され得る。情報、信号などは、複数のネットワークノードを介して入出力されてもよい。
【０１６３】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１６４】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１６５】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０１６６】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１６７】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１６８】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１６９】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０１７０】
本明細書において使用する「システム」及び「ネットワーク」という用語は、互換的に使用される。
【０１７１】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０１７２】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０１７３】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０１７４】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１７５】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本開示の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０１７６】
同様に、本明細書におけるユーザ端末は、無線基地局で読み替えてもよい。この場合、上述のユーザ端末２０が有する機能を無線基地局１０が有する構成としてもよい。
【０１７７】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０１７８】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１７９】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０１８０】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１８１】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０１８２】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０１８３】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０１８４】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０１８５】
本明細書において、「ＡとＢが異なる」という用語は、「ＡとＢが互いに異なる」ことを意味してもよい。「離れる」、「結合される」などの用語も同様に解釈されてもよい。
【０１８６】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０１８７】
以上、本開示に係る発明について詳細に説明したが、当業者にとっては、本開示に係る発明が本明細書中に説明した実施形態に限定されないということは明らかである。本開示に係る発明は、請求の範囲の記載に基づいて定まる発明の趣旨及び範囲を逸脱することなく修正及び変更態様として実施することができる。したがって、本明細書の記載は、例示説明を目的とし、本開示に係る発明に対して何ら制限的な意味をもたらさない。
【図１】
2019092835.tif 000003
【図２】
2019092835.tif 000004
【図３】
2019092835.tif 000005
【図４】
2019092835.tif 000006
【図５】
2019092835.tif 000007
【図６】
2019092835.tif 000008
【図７】
2019092835.tif 000009
【図８】
2019092835.tif 000010
【国際調査報告】
2019092835.tif 000011
2019092835.tif 000012
2019092835.tif 000013
2019092835.tif 000014